(57)【要約】【課題】低温で固化する内容物を体温によって溶融させて容易に取り出すことができる広口容器を提供する。【解決手段】広口容器１は、体温によって溶融可能な内容物Ｌが内側に収容される容器本体２と、体温を内容物Ｌに熱伝導させて溶融させる金属製の溶融手段５と、を備えている。溶融手段５は、内容物Ｌの上面から上側に突出している。容器本体２は、内容物Ｌが充填された収容部材６を備えている。溶融手段５は、収容部材６と一体に形成されている。【選択図】図１
2017065718.tif 000002
【特許請求の範囲】
【請求項１】
体温によって溶融可能な内容物が内側に収容される容器本体と、
体温を前記内容物に熱伝導させて溶融させる金属製の溶融手段と、
を備えることを特徴とする広口容器。
【請求項２】
前記溶融手段は、前記内容物の上面から上側に突出している、
ことを特徴とする請求項１に記載の広口容器。
【請求項３】
前記容器本体は、前記内容物が充填された収容部材を備え、
前記溶融手段は、前記収容部材と一体に形成されている、
ことを特徴とする請求項１または２に記載の広口容器。
【発明の詳細な説明】
【技術分野】
【０００１】
本発明は、広口容器に関するものである。
【背景技術】
【０００２】
従来から、例えば下記特許文献１に記載したような、内容物を収容する有底筒状の容器本体と、容器本体の口部に装着される蓋体と、を備えた広口容器が知られている。
この種の広口容器では、口部を通して指等を容器本体内に進入させ、容器本体内の内容物を取り出すようになっている。
【先行技術文献】
【特許文献】
【０００３】
【特許文献１】特開２００５−１０４５３８号公報
【発明の概要】
【発明が解決しようとする課題】
【０００４】
しかしながら、前記従来の広口容器では、内容物として、低温（例えば１０℃前後）で固化する内容物を収容した場合には、例えば冬季などの雰囲気温度が低い状況で使用したり、冷蔵庫や冷凍庫から取り出した直後に使用したりするときに、内容物が硬く固化した状態が維持されて取り出しにくい。
【０００５】
そこで本発明は、前述した事情に鑑みてなされたものであって、低温で固化する内容物を体温によって溶融させて容易に取り出すことができる、体温によって溶融可能な内容物が収容される広口容器を提供するものである。
【課題を解決するための手段】
【０００６】
前記課題を解決するために、本発明は以下の手段を提案している。
本発明の広口容器は、体温によって溶融可能な内容物が内側に収容される容器本体と、体温を前記内容物に熱伝導させて溶融させる金属製の溶融手段と、を備えることを特徴とする。
本発明によれば、内容物を溶融させる金属製の溶融手段を備えるので、容器本体に収容された内容物が硬く固化していても、溶融手段を内容物に接触させるとともに使用者が溶融手段に接触することで、溶融手段を介して体温を内容物に熱伝導させて溶融させることが可能となる。これにより、低温で固化する内容物を体温によって溶融させて容易に取り出すことができる。
【０００７】
上記の広口容器において、前記溶融手段は、前記内容物の上面から上側に突出している、ことが望ましい。
本発明によれば、固化している内容物を溶融するときには、使用者が内容物の上面から上側に突出した溶融手段に接触するだけで、体温を内容物に熱伝導させて溶融させることが可能となる。このため、内容物を取り出す際に手間がかかることを防止でき、内容物をより容易に取り出すことができる。
【０００８】
上記の広口容器において、前記容器本体は、前記内容物が充填された収容部材を備え、前記溶融手段は、前記収容部材と一体に形成されている、ことが望ましい。
本発明によれば、溶融手段が収容部材と一体に形成されているので、構造を簡素化することができる。さらに、収容部材が溶融手段と同じ金属材料により形成されるので、溶融手段を介して使用者の体温を収容部材の広範囲に熱伝導させることが可能になり、内容物をより円滑に溶融させることができる。
【発明の効果】
【０００９】
本発明によれば、低温で固化する内容物を体温によって溶融させて容易に取り出すことができる。
【図面の簡単な説明】
【００１０】
【図１】第１実施形態に係る広口容器の部分断面図である。
【図２】第２実施形態に係る広口容器の部分断面図である。
【図３】第３実施形態に係る広口容器の部分断面図である。
【図４】第４実施形態に係る広口容器の部分断面図である。
【図５】第４実施形態に係る中蓋の平面図である。
【発明を実施するための形態】
【００１１】
以下、本発明の実施形態を図面に基づいて説明する。
（第１実施形態）
最初に、第１実施形態の広口容器１について説明する。
広口容器１には、体温によって溶融可能であるとともに、冷却されることで固化する内容物Ｌ（例えば馬油やバター等）が収容される。なお、「溶融」とは、固まった内容物Ｌが液体となることだけでなく、固まった内容物Ｌが取り出し可能となる程度に軟化することも含む。また、「固化」とは、液体の内容物Ｌが固体となることだけでなく、軟化した内容物Ｌが硬化することも含む。
図１に示すように、広口容器１は、内側に内容物Ｌが収容される容器本体２と、容器本体２の口部３に着脱自在に装着された蓋体４と、体温を内容物Ｌに熱伝導させて溶融させる金属製の溶融手段５と、を備えている。
【００１２】
容器本体２は、内容物Ｌが充填された有底筒状の収容部材６と、収容部材６をその径方向の外側から囲繞する筒状の外筒部７と、を備えている。なお、収容部材６および外筒部７は、それぞれの中心軸が共通軸上に配置されている。以下、この共通軸を容器軸Ｏといい、容器軸Ｏ方向に沿う容器本体２（収容部材６）の底部側（図１における下側）を下側、容器軸Ｏ方向に沿う容器本体２の口部３側（図１における上側）を上側という。また、容器軸Ｏから見た平面視で容器軸Ｏに直交する方向を径方向といい、容器軸Ｏ回りに周回する方向を周方向という。
【００１３】
外筒部７は、例えば樹脂材料等により形成されている。外筒部７は、容器軸Ｏ方向に沿って真直ぐに延びる下部と、前記下部よりも縮径された上部と、を備えている。前記上部の外周面には、雄ネジ部が形成されている。
【００１４】
収容部材６は、金属材料により形成されている。金属材料としては、例えばアルミニウム等の熱伝導率の高い金属材料（熱伝導性物質）が好適である。収容部材６は、容器軸Ｏ方向に沿って延びる周壁部８と、周壁部８の下端開口部を閉塞する底壁部９と、周壁部８の上端開口縁から径方向外側へ向けて突出するとともに周方向に沿って延びる環状の鍔部１０と、鍔部１０の外周縁から下方に向かって突出する係止筒部１１と、を備えている。周壁部８の下端部と底壁部９の外周部とは、段差なく滑らかに連なっている。底壁部９の下面は、外筒部７の下端開口を通して外部に露出している。鍔部１０は、外筒部７の上端開口縁に上側から当接している。係止筒部１１は、外筒部７の上端部の外周面を覆っている。
【００１５】
蓋体４は、有頂筒状に形成され、その周壁部の内周面には、容器本体２の口部３の外周面（図示の例では、外筒部７の上部の外周面）に形成された雄ネジ部に螺着する雌ネジ部が形成されている。
蓋体４の天壁部と、容器本体２の上端開口縁（図示の例では、収容部材６の鍔部１０の上面）と、の間には、容器本体２の上端開口の全体を上側から覆う板状のシール部材１２が配設されている。シール部材１２は、広口容器１の密閉性を高めるためのものであって、容器本体２および蓋体４よりもやわらかい材質、例えばニトリルゴム、ブチルゴム、シリコンゴム、エラストマー等の弾性変形可能な軟材質で形成されている。シール部材１２は、蓋体４を容器本体２の口部３から取り外すときに、蓋体４とともに容器本体２から離脱する。
【００１６】
溶融手段５は、収容部材６のうち、内側に充填された内容物Ｌの上面よりも上側に位置する部分であって、周壁部８の上端部と、鍔部１０と、係止筒部１１と、により構成されている。溶融手段５は、収容部材６と一体に形成されるとともに、内容物Ｌの上面から上側に向けて突出している。
【００１７】
以下、本実施形態の広口容器１の作用について説明する。
広口容器１に収容された内容物Ｌを取り出す際には、まず蓋体４をシール部材１２とともに容器本体２から離脱させて、溶融手段５を露出させる。ここで、例えば冬季などの雰囲気温度が低い状況では、内容物Ｌが硬く固化している場合がある。この場合には、使用者が内容物Ｌの上面から上側に突出した金属製の溶融手段５のうち、例えば収容部材６の鍔部１０に接触することで、収容部材６の周壁部８の上端部を介して使用者の体温を内容物Ｌに熱伝導させる。これにより、収容部材６の内容物Ｌのうち、周壁部８の内周面に接した部分から順次溶融が進行するため、口部３を通して指等を容器本体２内に進入させ、内容物Ｌを取り出すことが可能となる。したがって、低温で固化する内容物Ｌを体温によって溶融させて容易に取り出すことができる。
しかも、溶融手段５が予め内容物Ｌの上面から突出した状態にあるので、内容物Ｌを取り出す際に手間がかかることを防止でき、内容物Ｌをより容易に取り出すことができる。
【００１８】
さらに、溶融手段５が収容部材６と一体に形成されているので、広口容器１の構造を簡素化することができる。さらに、収容部材６が溶融手段５と同じ金属材料により形成されるので、溶融手段５を介して使用者の体温を収容部材６の広範囲に熱伝導させることが可能になり、内容物Ｌをより円滑に溶融させることができる。
【００１９】
また、底壁部９の下面が外部に露出しているため、内容物Ｌの融点よりも温度の高い雰囲気下に容器本体２を置くことで、収容部材６を介して雰囲気の熱を内容物Ｌに熱伝導させることができる。これにより、内容物Ｌの溶融を促進させることができ、内容物Ｌをより容易に取り出すことができる。
【００２０】
（第２実施形態）
次に、第２実施形態の広口容器１０１について説明する。
なお、この第２実施形態においては、第１実施形態における構成要素と同一の部分については同一の符号を付し、その説明を省略し、異なる点についてのみ説明する（以下の実施形態についても同様）。
【００２１】
図２に示すように、広口容器１０１は、内容物Ｌが充填された有底筒状の収容部材１０６と、収容部材１０６の下端部をその径方向外側から囲繞する外筒部１０７と、を備えた容器本体１０２を有している。容器本体１０２は、例えば樹脂材料等により形成されている。
外筒部１０７は、容器軸Ｏ方向に沿って真直ぐに延びている。
収容部材１０６の周壁部は、容器軸Ｏ方向における中間部分において外筒部１０７の上端縁に接続されている。収容部材１０６の周壁部のうち、外筒部１０７との接続部分よりも上側は、蓋体４が装着される容器本体１０２の口部３とされている。収容部材１０６の周壁部と底壁部とは、段差なく滑らかに連なっている。
【００２２】
収容部材１０６の底壁部の上面には、支持体１１３が上側に向かって突設されている。支持体１１３は、容器軸Ｏと同軸に延びる円柱状の軸部１１３ａと、軸部１１３ａから径方向外側に向けて突出するとともに容器軸Ｏ方向に沿って延びる支持リブ１１３ｂと、を備えている。軸部１１３ａの上端縁は、口部３の上端開口縁よりも僅かに下側に位置している。支持リブ１１３ｂは、軸部１１３ａの外周面に周方向に間隔をあけて複数設けられており、収容部材１０６の底壁部の上面に連結されている。支持リブ１１３ｂの上端縁は、軸部１１３ａの上端縁よりも下側に位置している。
【００２３】
支持リブ１１３ｂには、有頂筒状の金属キャップ１１４が外嵌されている。金属キャップ１１４は、金属材料により形成されている。金属材料としては、例えばアルミニウム等の熱伝導率の高い金属材料が好適である。金属キャップ１１４の下端開口縁は、収容部材１０６の底壁部に上側から当接している。金属キャップ１１４の天壁部は、支持体１１３の軸部１１３ａの上端縁に上側から当接している。金属キャップ１１４の上端部は、内容物Ｌの上面から上側に向けて突出し、体温を内容物Ｌに熱伝導させて溶融させる溶融手段１０５となっている。
【００２４】
このように、本実施形態の広口容器１０１によれば、収容部材１０６に充填された内容物Ｌが硬く固化している場合であっても、使用者が溶融手段１０５のうち、例えば金属キャップ１１４の天壁部に接触することで、金属キャップ１１４の周壁部を介して使用者の体温を内容物Ｌに熱伝導させることができる。これにより、収容部材１０６の内容物Ｌのうち、金属キャップ１１４の周壁部に接した部分から順次溶融が進行するため、低温で固化する内容物Ｌを体温によって溶融させて容易に取り出すことができる。
【００２５】
（第３実施形態）
次に、第３実施形態の広口容器２０１について説明する。
図３に示すように、容器本体２０２は、有底筒状の収容部材２０６を備えている。収容部材２０６は、金属材料により形成されている。金属材料としては、例えばアルミニウム等の熱伝導率の高い金属材料が好適である。収容部材２０６の底壁部２０９には、有頂筒状の軸筒部２１５が上側に向けて突設されている。軸筒部２１５は、収容部材２０６と一体に形成され、下端開口縁において底壁部２０９と段差なく滑らかに連なっている。軸筒部２１５の上端縁は、平面状に形成され、容器本体２０２の上端開口縁（図示の例では、収容部材２０６の鍔部１０）よりも僅かに下側に位置している。
【００２６】
収容部材２０６のうち、内容物Ｌの上面から上側に向けて突出した部分、すなわち周壁部８の上端部、鍔部１０および係止筒部１１、並びに軸筒部２１５の上端部は、体温を内容物Ｌに熱伝導させて溶融させる金属製の溶融手段２０５となっている。
【００２７】
このように、本実施形態の広口容器２０１によれば、収容部材２０６に充填された内容物Ｌが硬く固化している場合であっても、使用者が溶融手段２０５、例えば軸筒部２１５の天壁部に接触することで、軸筒部２１５の周壁部を介して使用者の体温を内容物Ｌに熱伝導させることができる。これにより、収容部材２０６の内容物Ｌのうち、軸筒部２１５の周壁部に接した部分から順次溶融が進行するため、低温で固化する内容物Ｌを体温によって溶融させて容易に取り出すことができる。
【００２８】
また、広口容器２０１は、収容部材２０６の外周部に設けられた周壁部８の上端部、鍔部１０および係止筒部１１と、収容部材２０６の中心部に設けられた軸筒部２１５の上端部と、の２つの溶融手段２０５を備えている。このため、例えば容器本体２０２内の内容物Ｌのうち径方向外側に位置する部分を取り出す際には、使用者が溶融手段２０５のうち例えば鍔部１０に接触することで、径方向外側に位置する内容物Ｌを溶融させることができる。また、容器本体２０２内の内容物Ｌのうち径方向内側に位置する部分を取り出す際には、使用者が溶融手段２０５のうち軸筒部２１５の天壁部に接触することで、径方向内側に位置する内容物Ｌを溶融させることができる。これにより、容器本体２０２内の内容物Ｌを均一に取り出すことができるので、使い勝手の良い広口容器２０１とすることができる。
【００２９】
また、容器本体２０２内の内容物Ｌの残量が減少した場合には、溶融手段２０５として周壁部８の内周面の一部、および軸筒部２１５の外周面の一部が新たに露出する。このため、内容物Ｌの残量が減少した場合には、使用者が溶融手段２０５のうち内容物Ｌの上面に近接する部分、例えば周壁部８の内周面や軸筒部２１５の外周面における内容物Ｌの上面よりも上側に位置する部分に接触することで、内容物Ｌをより円滑に溶融させることができる。
【００３０】
（第４実施形態）
次に、第４実施形態の広口容器３０１について説明する。
図４に示すように、広口容器３０１は、有底筒状の容器本体３０２と、容器本体３０２の口部３０３に装着された中蓋３２０と、内容物Ｌの取り出しに用いる金属製の匙３３０（溶融手段）と、を備えている。
匙３３０は、金属材料により板状に形成されている。金属材料としては、例えばアルミニウム等の熱伝導率の高い金属材料が好適である。匙３３０は、柄３３１と、柄３３１の先端に連なるへら３３２と、を備えている。
【００３１】
容器本体３０２は、容器軸Ｏ方向に沿って内径が同等に形成されるとともに、その上部には下部に比べて外径が縮径された口部３０３が形成されている。口部３０３の外周面には、蓋体４の雌ネジ部が螺着する雄ネジ部が形成されている。また、口部３０３の外周面には、容器軸Ｏ方向に沿って延びる溝部３０３ａが形成されている。溝部３０３ａは、口部３０３の容器軸Ｏ方向の全長に亘って設けられ、口部３０３の上端開口縁に開口している。溝部３０３ａは、口部３０３の外周面に周方向に間隔をあけて複数（本実施形態では３個）設けられている。
【００３２】
中蓋３２０は、口部３０３内に嵌合する有底筒状のシール筒３２１と、シール筒３２１の周壁部の上端縁から径方向外側へ向けて突出するとともに周方向に沿って延びる環状のフランジ部３２２と、口部３０３の下端部の径方向外側に配置され、蓋体４の下端開口縁に下側から当接する円環状の支持枠部３２３と、フランジ部３２２の外周縁と支持枠部３２３の内周縁とを連結する複数（本実施形態では３個）の連結片３２４と、を備えている。フランジ部３２２は、口部３０３の上端開口縁に上側から当接している。支持枠部３２３は、シール筒３２１の底壁部よりも下側に位置している。連結片３２４は、容器軸Ｏを中心とする周面を有する円弧板状に形成され、容器軸Ｏ方向に沿って延びるとともに、口部３０３の溝部３０３ａ内に入り込んでいる。連結片３２４の外周面は、口部３０３の雄ネジ部におけるネジ溝の谷底よりも径方向内側に位置している。
【００３３】
図５に示すように、シール筒３２１の内側には、匙３３０が着脱自在に保持される保持部３２５が設けられている。保持部３２５は、シール筒３２１の底壁から上側に向けて突設されるとともに互いに離間して配置された一対の仕切壁３２６と、シール筒３２１の底壁から上側に向けて突設された突起部３２７と、を備える。一対の仕切壁３２６における互いに対向する内面の上面視形状は、匙３３０の平面視形状に対応する形状になっている。突起部３２７は、匙３３０の柄３３１の下面を支持している。突起部３２７は、一対の仕切壁３２６同士を接続するように、全長に亘って同じ高さで延在している。図４に示すように、保持部３２５に保持された匙３３０は、突起部３２７によりシール筒３２１の底壁部の上面から柄３３１が浮いた状態とされ、中蓋３２０からの着脱が容易になっている。
【００３４】
以下、本実施形態の広口容器３０１の作用について説明する。
広口容器３０１に収容された内容物Ｌを取り出す際には、蓋体４を容器本体３０２から離脱させる。次いで、中蓋３２０を容器本体３０２から離脱させる。ここで、離脱させた中蓋３２０を作業台等に載置する際には、支持枠部３２３が作業台上に接触するように載置する。こうすることで、支持枠部３２３がシール筒３２１の底壁部よりも下側に位置しているため、中蓋３２０のシール筒３２１の下面に内容物Ｌが付着していても、内容物Ｌが作業台に付着することを防止できる。
【００３５】
続いて、保持部３２５から匙３３０を取り外し、柄３３１を掴むとともに、へら３３２を容器本体３０２内に収容された内容物Ｌに接触させる。この際、内容物Ｌが硬く固化している場合であっても、匙３３０が金属材料により形成されているため、匙３３０を介して使用者の体温を内容物Ｌに熱伝導させることができる。これにより、容器本体３０２の内容物Ｌのうち、へら３３２に接した部分から順次溶融が進行するため、低温で固化する内容物Ｌを体温によって溶融させて容易に取り出すことができる。
【００３６】
なお、本発明は、図面を参照して説明した上述の実施形態に限定されるものではなく、その技術的範囲において様々な変形例が考えられる。
例えば、上記実施形態において、蓋体４は容器本体に対する螺着により容器本体内を開閉しているが、これに限定されるものではない。蓋体は、例えば容器本体に対してヒンジを介して開閉自在に連結されていてもよい。
【００３７】
その他、本発明の趣旨を逸脱しない範囲で、上記した実施の形態における構成要素を周知の構成要素に置き換えることは適宜可能である。
【符号の説明】
【００３８】
１，１０１，２０１，３０１…広口容器  ２，１０２，２０２，３０２…容器本体  ５，１０５，２０５…溶融手段  ６，２０６…収容部材  ３３０…匙（溶融手段）  Ｌ…内容物
【図１】
2017065718.tif 000003
【図２】
2017065718.tif 000004
【図３】
2017065718.tif 000005
【図４】
2017065718.tif 000006
【図５】
2017065718.tif 000007